(57)【要約】【課題】  本発明は、簡単な構成で毎層のコンクリートの遠心成型後にコンクリートの最縁部に集まった余剰水やノロを容易に吸引除去することが出来る遠心成型コンクリート製品の製造方法を提供することを可能にすることを目的としている。【解決手段】  遠心成型用型枠１の内部にコンクリート６を打設すると共に該遠心成型用型枠１を回転させてコンクリート６を遠心成型した後、遠心成型用型枠１の回転を停止して、その遠心成型用型枠１の両端部を鉄製プレート７により閉塞すると共に、その閉塞された遠心成型用型枠１内に連通される吸引ホース８からコンクリート６から分離した余剰水やノロを吸引するように構成したことを特徴とする。【選択図】      図１
2005119173.tif 000002
【特許請求の範囲】
【請求項１】
遠心成型コンクリート製品の製造方法であって、
遠心成型用型枠の内部にコンクリートを打設すると共に該型枠を回転させてコンクリートを遠心成型した後、該型枠の回転を停止して、その型枠の両端部を閉塞すると共に、その閉塞された型枠内に連通される吸引口から吸引して前記型枠内部を負圧とし、前記コンクリート内に存在する余剰水を該コンクリートの内周最縁部表面に吸い出すことにより該コンクリートから分離した余剰水を吸引することを特徴とする遠心成型コンクリート製品の製造方法。
【請求項２】
前記遠心成型用型枠の内部にコンクリートを打設する際に複数層に分割してコンクリートを打設し、その各層毎に請求項１に記載の遠心成型コンクリート製品の製造方法を実施することを特徴とする遠心成型コンクリート製品の製造方法。
【請求項３】
請求項１または請求項２に記載の遠心成型コンクリート製品の製造方法により製造されたことを特徴とする遠心成型コンクリート製品。
【発明の詳細な説明】
【技術分野】
【０００１】
本発明は、遠心成型コンクリート製品の製造方法及び遠心成型コンクリート製品に関するものである。
【背景技術】
【０００２】
遠心成型されるプレキャストコンクリート製品では、図２（ａ）に示すように、型枠51の内部にコンクリート52を打設した後、回転駆動装置53により型枠51を回転して遠心成型を行う。型枠51内にコンクリート52を打設する際にはコンクリート52を複数層に区分して遠心成型を実施するのが一般である。
【０００３】
コンクリート52は、その構成材料で比重が異なるため遠心成型の過程で水54が分離し、図２（ｂ）に示すように、型枠51の回転を停止した状態でその余剰水54が打設されたコンクリート52の内周最縁部に集まる。尚、図２（ａ）で実線で示す矢印は型枠51及び回転駆動装置53の回転方向を示し、図２（ａ），（ｂ）で破線で示す矢印は分離した余剰水54の流れを示す。
【０００４】
この上に、新たなコンクリート52を打設して層状に遠心成型すると、図２（ｃ）に示すように余剰水54が集まった部分が製品の養生後に巣穴が生じた脆弱部55となり、最縁部のコンクリート52が製品の完成後に早期に剥離する虞があるため、毎層のコンクリート52の遠心成型後に柄杓等によりコンクリート52の内周最縁部に集まった余剰水54やノロを汲み出したり、吸引ポンプに接続されたホースを挿入して吸引する作業が必要であった。
【０００５】
一方、型枠を真空状態に置いてコンクリート中の空気を真空空間に放出除去して密実度の高いコンクリート打設を可能にしたもの（例えば、特許文献１参照。）や、型枠内にコンクリートを打設した後、該コンクリートの面を真空脱水用のポンプを介して吸引締め固めするもの（例えば、特許文献２参照。）や、型枠内の空気を真空吸引して該型枠内を減圧し、生コンクリート内に存在する空気と過剰な水分の一部を型枠の外部へ排出するもの（例えば、特許文献３参照。）がある。
【０００６】
【特許文献１】特開２００１−１８２０９号公報
【特許文献２】特開平９−１５０４０９号公報
【特許文献３】特開平５−１３１４２０号公報
【発明の開示】
【発明が解決しようとする課題】
【０００７】
しかしながら、前述の従来例では、毎層のコンクリート52の遠心成型後に柄杓等によりコンクリート52の内周最縁部に集まった余剰水54やノロを汲み出したり、吸引ポンプに接続されたホースを挿入して吸引する作業が面倒であり、特に手が届き難いヒューム管中央部での余剰水54やノロの汲み出しや吸引が困難であった。
【０００８】
また、前記特許文献１の技術では、型枠を真空状態の打設室に置くか、或いは型枠を大気を遮断した真空状態とし、大気の進入を遮断しながらコンクリートを送り込み、真空空間を自由落下させながら型枠中にコンクリートを打設するため、型枠内の吸引と打設を同時期に行う必要があるので設備が大掛かりとなり、型枠の密閉度も要求されるため設備コストがかかる。また、型枠内の吸引と打設を同時期に行うと、空気と同時に水も上昇するが、余剰水やノロをコンクリートの最縁部表面に到達させることが困難である。
【０００９】
また、特許文献２の技術では、真空脱水に用いられる真空マットを絶縁材としてプレキャストコンクリート製品内に埋設して積層するため、強度が要求されると共に円筒形状のヒューム管等のコンクリート製品には利用出来ない。また、特許文献３の技術では、減圧処理及び加圧処理を行うため設備が複雑であり、これ等の特許文献１〜３の技術では遠心成型コンクリート製品を製造することは出来ない。
【００１０】
本発明は前記課題を解決するものであり、その目的とするところは、簡単な構成で毎層のコンクリートの遠心成型後にコンクリートの内周最縁部に集まった余剰水やノロを容易に吸引除去することが出来る遠心成型コンクリート製品の製造方法及び遠心成型コンクリート製品を提供せんとするものである。
【課題を解決するための手段】
【００１１】
前記目的を達成するための本発明に係る遠心成型コンクリート製品の製造方法は、遠心成型用型枠の内部にコンクリートを打設すると共に該型枠を回転させてコンクリートを遠心成型した後、該型枠の回転を停止して、その型枠の両端部を閉塞すると共に、その閉塞された型枠内に連通される吸引口から吸引して前記型枠内部を負圧とし、前記コンクリート内に存在する余剰水を該コンクリートの内周最縁部表面に吸い出すことにより該コンクリートから分離した余剰水を吸引することを特徴とする。
【００１２】
本発明は、上述の如く構成したので、遠心成型時の遠心力によりコンクリート内に存在する余剰水を該コンクリートの内周最縁部表面に追い出すことが出来、更に閉塞された型枠内に連通される吸引口から吸引して型枠内部を負圧とすることによりコンクリート内に存在する余剰水を該コンクリートの内周最縁部表面に吸い出すことが出来る。
【００１３】
そして、コンクリートの内周最縁部に集まった余剰水やノロを閉塞された型枠内に連通される吸引口から吸引することによりコンクリート製品に脆弱部が生じることなく製造することが出来、製品完成後に早期のコンクリートの剥離等が発生することがない。
【００１４】
また、前記遠心成型用型枠の内部にコンクリートを打設する際に複数層に分割してコンクリートを打設し、その各層毎に前述した製造方法を実施することで、毎層のコンクリートの遠心成型後に、その都度、コンクリートの内周最縁部に集まった余剰水やノロを閉塞された型枠内に連通される吸引口から吸引することが出来る。
【００１５】
また、本発明に係る遠心成型コンクリート製品は、前述の遠心成型コンクリート製品の製造方法により製造されたことを特徴とする。このような遠心成型コンクリート製品では、遠心成型コンクリート製品に生じた余剰水を吸引するため製品の内周最縁部のコンクリートの水セメント比が小さくなり高強度の遠心成型コンクリート製品とすることが出来る。
【００１６】
内周最縁部のコンクリートは非常に緻密なセメントマトリックスを形成し、化学的耐久性等の耐久性に優れた遠心成型コンクリート製品とすることが出来る。その結果、ヒューム管に要求される耐久性能を大幅に改善し、耐酸性等の化学的抵抗性に優れ、ライフサイクルコストに優れた遠心成型コンクリート製品とすることが出来る。
【発明の効果】
【００１７】
本発明は、上述の如き構成と作用とを有するので、簡単な構成で毎層のコンクリートの遠心成型後にコンクリートの内周最縁部に集まった余剰水やノロを容易に吸引除去することが出来る。
【発明を実施するための最良の形態】
【００１８】
図により本発明に係る遠心成型コンクリート製品の製造方法及び遠心成型コンクリート製品の一実施形態を具体的に説明する。図１は本発明に係る遠心成型コンクリート製品の製造方法を説明する図である。
【００１９】
図１において、１は遠心成型用型枠であり、分割可能な円筒型枠２と、リング状の側端型枠３と、これ等を分割可能に連結する連結軸４とを有して構成されている。このような遠心成型用型枠１は側端型枠３の外周に圧接された回転駆動装置５により回転駆動される。
【００２０】
遠心成型コンクリート製品の製造方法としては、先ず、分割された円筒型枠２を組み立てて、その内部にかご状鉄筋を配設し、該円筒型枠２の両端部に一対の側端型枠３を連結軸４を介してボルト止め等により接合し、回転駆動装置５に設置する。
【００２１】
次に、リング状の側端型枠３の開口部から片持ちベルトコンベアや搬送スクリュー等を遠心成型用型枠１内部に挿入し、該片持ちベルトコンベアや搬送スクリュー等によりコンクリート６を遠心成型用型枠１内部に均一に打設した後、片持ちベルトコンベアや搬送スクリュー等を退避する。
【００２２】
次に図１（ａ）に示すように、回転駆動装置５を回転駆動して遠心成型用型枠１を回転させ、該遠心成型用型枠１内部に打設されたコンクリート６を遠心成型する。この遠心成型時にコンクリート６内に存在する余剰水が遠心力により分離されて該コンクリート６の内周最縁部表面に追い出される。
【００２３】
リング状の側端型枠３の高さは打設されるコンクリート６の厚さに応じた高さを有して構成されている。尚、図１（ａ）で実線で示す矢印は遠心成型用型枠１及び回転駆動装置５の回転方向を示し、図１（ａ），（ｂ）で破線で示す矢印は分離した余剰水の流れを示す。
【００２４】
その後、図１（ｂ）に示すように、回転駆動装置５を停止して遠心成型用型枠１の回転を停止させ、側端型枠３にゴムパッキン等のシール材を介在させて鉄製プレート７をボルト止め等により装着し、遠心成型用型枠１の両端部を閉塞する。
【００２５】
このとき、円筒型枠２の内周全面、及び該円筒型枠２と側端型枠３との接合内面領域は遠心成型されたコンクリート６により気密的に閉塞されており、更にゴムパッキン等のシール材を介在させて側端型枠３に接合された鉄製プレート７により遠心成型用型枠１内部は気密的に閉塞される。
【００２６】
鉄製プレート７には、その閉塞された遠心成型用型枠１内に連通される吸引口となる吸引ホース８が取り付けられており、該吸引ホース８を外部に設けられた図示しない真空脱水ポンプに接続する。
【００２７】
そして、その真空脱水ポンプを駆動して吸引ホース８から吸引して遠心成型用型枠１内部を負圧とし、コンクリート６内に存在する余剰水を該コンクリート６の内周最縁部表面に吸い出す。
【００２８】
そして、遠心成型時に遠心力によりコンクリート６内から追い出された余剰水と、遠心成型用型枠１内部を負圧にして吸い出された余剰水とがコンクリート６の内周最縁部に層状となって集まり、その余剰水やノロを吸引ホース８から吸引する。
【００２９】
吸引ホース８の遠心成型用型枠１側の端部には可撓性のチューブが設けてあり、遠心成型されたコンクリート６の層厚に応じて変形して該コンクリート６の内周最縁部に適宜設定される。
【００３０】
余剰水やノロが完全に吸引除去された段階で鉄製プレート７を脱離し、側端型枠３の開口部から再度、片持ちベルトコンベアや搬送スクリュー等を遠心成型用型枠１内部に挿入し、この上に、新たなコンクリート６を遠心成型用型枠１内部に均一に打設した後、片持ちベルトコンベアや搬送スクリュー等を退避して回転駆動装置５を回転駆動して遠心成型用型枠１を回転させ、該遠心成型用型枠１内部に打設された新たなコンクリート６を遠心成型する。
【００３１】
そして、回転駆動装置５を停止して遠心成型用型枠１の回転を停止させ、側端型枠３にゴムパッキン等のシール材を介在させて鉄製プレート７を装着し、真空脱水ポンプを駆動して吸引ホース８から吸引して遠心成型用型枠１内部を負圧とし、コンクリート６内に存在する余剰水を該コンクリート６の内周最縁部表面に吸い出す。
【００３２】
そして、遠心成型時に遠心力によりコンクリート６内から追い出された余剰水と、遠心成型用型枠１内部を負圧にして吸い出された余剰水とがコンクリート６の内周最縁部に層状となって集まり、その余剰水やノロを吸引ホース８から吸引する。
【００３３】
このように、遠心成型用型枠１の内部にコンクリート６を打設する際に複数層に分割してコンクリート６を打設し、その各層毎に毎層のコンクリート６の遠心成型後に、その都度、閉塞された遠心成型用型枠１内に連通される吸引口となる吸引ホース８から吸引して遠心成型用型枠１内を負圧とし、コンクリート６内に存在する余剰水を該コンクリート６の内周最縁部表面に吸い出して、そこに集まった余剰水やノロを吸引ホース８から吸引する。
【００３４】
そして、図１（ｃ）に示すように、余剰水やノロが完全に吸引除去された状態で鉄製プレート７を除去して養生し、コンクリート６が硬化した段階で遠心成型用型枠１を離型してヒューム管等の遠心成型コンクリート製品を得る。
【００３５】
上記製造方法によれば、遠心成型コンクリート製品に生じた余剰水を吸引するため製品の内周最縁部のコンクリート６の水セメント比が小さくなり高強度の遠心成型コンクリート製品を製造することが出来る。
【００３６】
内周最縁部のコンクリート６は非常に緻密なセメントマトリックスを形成し、化学的耐久性等の耐久性に優れた遠心成型コンクリート製品を製造することが出来る。その結果、ヒューム管に要求される耐久性能を大幅に改善し、耐酸性等の化学的抵抗性に優れ、ライフサイクルコストに優れた遠心成型コンクリート製品の製造を可能とする。
【産業上の利用可能性】
【００３７】
本発明の活用例として、遠心成型コンクリート製品の製造方法及び遠心成型コンクリート製品に利用出来、特に円筒形状のヒューム管等の遠心成型コンクリート製品に好適である。
【図面の簡単な説明】
【００３８】
【図１】本発明に係る遠心成型コンクリート製品の製造方法を説明する図である。
【図２】従来例を説明する図である。
【符号の説明】
【００３９】
１…遠心成型用型枠
２…円筒型枠
３…側端型枠
４…連結軸
５…回転駆動装置
６…コンクリート
７…鉄製プレート
８…吸引ホース 
【図１】
2005119173.tif 000003
【図２】
2005119173.tif 000004